(57)【要約】コンテンツは、コンテンツにアクセスする命令を、受信できる範囲の機能を備えた各デバイスに示す、符号化された信号を送信することによりデバイス間で共有することが可能である。たとえば、第１のデバイスは、デバイスの可聴範囲で、機能を備えた任意のデバイスによって受信可能な、符号化された音響信号を発することが可能である。信号を受信する任意のデバイスが、信号に含まれる情報を復号でき、その情報から、コンテンツにアクセスする場所を得ることができる。こうした手法を使用して、第１のユーザは、コンテンツを数人のユーザと同時に、いかなる受信するユーザも共有されるコンテンツを決定し、それに対してナビゲートする必要なく、速やかに容易に共有できる。さらに、音響信号などの信号を使用して、ほとんどの存在するデバイスがコンテンツを著しいハードウェアの修正または追加出費もなく容易に共有可能になる。
2012511787.tif 000002
【特許請求の範囲】
【請求項１】
コンピューティング・デバイス上でコンテンツにアクセスするための情報を共有する方法であって、
第１のデバイス上で、前記コンテンツにアクセスすることに関連付けられた情報を含む符号化された情報信号を生成することと、
前記符号化された情報信号を可聴信号として出力することと、
第２のデバイスにおいて前記符号化された情報信号を音声で受信することと、
前記情報信号を前記コンテンツに関連付けられた前記情報を識別するために復号することと、
前記コンテンツにアクセスすることに関連付けられた前記情報の少なくとも一部を利用して前記第２のデバイスにより前記コンテンツにアクセスすることとを含み、前記前記第２のデバイスは、前記第１のデバイス以外の資源から前記コンテンツにアクセスすることとを含む方法。
【請求項２】
前記第２のデバイスが、前記符号がされた情報信号を音声で受信可能にするために前記第２のデバイス上で聞取りモードを作動させることをさらに含む、請求項１に記載の方法。
【請求項３】
前記情報信号を受信することが、通知信号を受信することを含む、請求項１に記載の方法。
【請求項４】
前記情報信号が、前記コンテンツにアクセスする場所を含む、請求項１に記載の方法。
【請求項５】
前記情報信号が反復信号を含み、前記反復信号は前記情報信号が前記第２のデバイスによって送信される旨の要求を含む、請求項１に記載の方法
【請求項６】
コンテンツにアクセスすることを可能にする方法であって、
第１のデバイスにおいて、前記第１のデバイス以外の資源から前記コンテンツにアクセスすることに関連付けられた情報を含む情報信号を生成することと、
前記第１のデバイスから前記情報信号を音声に基づく信号として送信することとを含み、
前記情報信号が、前記送信された情報信号の検出可能な範囲内の第２のデバイスによって受信されるように構成されている方法。
【請求項７】
前記情報信号を暗号化することをさらに含む、請求項６に記載の方法。
【請求項８】
前記情報信号が、認証信号を含む、請求項６に記載の方法。
【請求項９】
共有される前記コンテンツに関連付けられた情報を含む共有情報を前記第１のデバイスにおいて生成することと、
前記共有情報を第３のデバイスに送信することとをさらに含む、請求項６に記載の方法
【請求項１０】
プロセッサと、
１組の動作を実行するための前記プロセッサにより実行されるように動作可能な命令を含むメモリ装置と、
前記コンテンツにアクセスするための英数字識別子を含む第１のデバイスにより音声で送信された情報信号を受信するように動作可能な受信要素と、
前記第１のデバイス以外のデバイスから前記コンテンツにアクセスする前記受信した情報信号を使用するように動作可能な、コンテンツ・アクセス要素とを含むコンピュータ・デバイス。
【請求項１１】
前記第１のデバイスによって音声で送信された前記情報信号が、電気通信ネットワークを経由して伝播される、請求項１０に記載のコンピュータ・デバイス。
【請求項１２】
前記受信要素が、前記第１のデバイスによって音声で送信された通知信号を受信するようにさらに動作可能であり、前記通知信号が、前記コンピュータ・デバイスに情報信号が送信されることを知らせる、請求項１０に記載のコンピュータ・デバイス。
【請求項１３】
コンテンツへのアクセスを管理するためのコンピュータ可読媒体に組み込まれているコンピュータ・プログラム製品であって、前記コンピュータ・プログラム製品が、プロセッサによって実行されるとき、プロセッサに、
第１のデバイスにおいて、第２のデバイスから送信された共有情報を受信し、前記共有情報が、前記コンテンツの識別子を含むことと、
前記第１のデバイスにおいて、前記識別子と前記コンテンツと前記第２のデバイスとの間の関連付けを生成することと、
前記第１のデバイスにおいて、第３のデバイスから前記コンテンツにアクセスする要求を受信し、前記要求は前記識別子を含むことと、
前記第３のデバイスに前記コンテンツへのアクセスを提供すること、
を行わせる命令を含み、
前記第２のデバイスが、前記識別子を前記第３のデバイスに音響に基づく信号を介して送信する、コンピュータ・プログラム製品。
【請求項１４】
プロセッサによって実行されるとき、前記プロセッサに、
前記第２のデバイスと前記第３のデバイスとの間の関連付けを生成することと、
前記第２のデバイスおよび前記第３のデバイスのうちの少なくとも１つに前記関連付け情報を通信することと、
を行わせる命令をさらに含む、請求項１３に記載のコンピュータ・プログラム製品。
【請求項１５】
有効期限が、前記コンテンツに関連付けられており、前記コンテンツへのアクセスが、前記有効期限の前にのみ利用可能である、請求項１３に記載のコンピュータ・プログラム製品。
【発明の詳細な説明】
【背景技術】
【０００１】
今日の環境では、ノートパソコン、携帯情報端末（ＰＤＡ）、スマートフォン、携帯メディアプレーヤ、携帯ゲーム機および電子書籍表示装置（電子ブックリーダ）などの携帯機器が増加の一途をたどっている。これらのデバイスの多くは、有線インターネット接続、Ｗｉ−Ｆｉ接続、第三世代または他のタイプの無線接続などのようなネットワーク接続の少なくとも1つのタイプを提供するが、これらのデバイス間で情報を直接共有する容易な方法がないことが多い。たとえば、従来の電子ブックリーダ上で文書を閲覧している第１のユーザは、第２の電子ブックリーダの第２のユーザとその文書を容易に共有することはできない。多くの場合、第１のユーザは、第２のユーザにその文書について教えなければならず、第２のユーザは、第２のデバイス上でインターフェイスをナビゲートしてその文書の場所を突き止め、次いでその文書をデバイスにダウンロードしなければならない。別の例では、関心のウェブサイトを閲覧しているスマートフォンの第１のユーザは、別のスマートフォンの第２のユーザにそのサイトのＵＲＬ（統一資源位置指定子（ｕｎｉｆｏｒｍ  ｒｅｓｏｕｒｃｅ  ｌｏｃａｔｏｒ））または他のアドレスを告げなければならず、次に第２のユーザは、そのサイトにナビゲートするためにそのＵＲＬまたは他のアドレスを手動で入力しなければならないことになる。さらに別の例では、第２のユーザにとって興味のあり得る歌の場所を突き止めた携帯メディアプレーヤの第１のユーザは、第２のユーザにその歌について告げなければならず、次に第２のユーザは、第２のデバイスでその歌の場所を突き止めてアクセスするために、インターフェイスをナビゲートする、検索クエリを使用して歌を探す、または同様の行為を実行しなければならない。完全な電子メールアドレスを入手して打ち込んだ後、ユーザが第２のデバイスのユーザに電子メールメッセージを打ち込んで送信することによるなど、一部のデバイスには他の選択肢も存在するが、ユーザがこうしたコンテンツを別のユーザと速やかに容易に共有する簡単な方法はない。コンテンツに同時にアクセスを望む多数のユーザが１室に存在すると、問題は悪化する。
【図面の簡単な説明】
【０００２】
本開示による様々な実施形態は、添付の図面を参照して以下に詳述する。
【０００３】
【図１（ａ）】一実施形態による様々な態様を有利に利用できる１組のデバイスを示す図である。
【図１（ｂ）】一実施形態による共有されるコンテンツに関する情報を送信する信号の１組の例を示す図である。
【図２（ａ）】一実施形態によるデバイス間でコンテンツを共有する例を示す図である。
【図２（ｂ）】一実施形態によるデバイス間でコンテンツを共有する例を示す図である。
【図３】一実施形態により使用可能なデバイスの一例の構成要素を示す図である。
【図４】一実施形態により使用可能なネットワーク構成の一例を示す図である。
【図５（ａ）】一実施形態により使用可能なコンテンツを共有する方法の例を示す図である。
【図５（ｂ）】一実施形態により使用可能なコンテンツを共有する方法の例を示す図である。
【図６（ａ）】一実施形態により使用可能なコンテンツを共有する方法の別の一例を示す図である。
【図６（ｂ）】一実施形態により使用可能なコンテンツを共有する方法の別の一例を示す図である。
【図６（ｃ）】一実施形態により使用可能なコンテンツを共有する方法の別の一例を示す図である。
【図７（ａ）】一実施形態による、ユーザがコンテンツを共有できるために生成させることが可能な表示の例を示す図である。
【図７（ｂ）】一実施形態による、ユーザがコンテンツを共有できるために生成させることが可能な表示の例を示す図である。
【図８】様々な実施形態が実施可能な環境を示す図である。
【発明を実施するための形態】
【０００４】
本開示の様々な実施形態によるシステムおよび方法により、ユーザがコンテンツを複数のデバイス間で速やかに容易に共有することが可能になる。たとえば、読書クラブの会員は、会員がクラブの他の会員と週決めの会合中に共有したい本を電子ブックリーダ上に保存している場合がある。他の会員と室内で共有したい本を単に選択することにより、会員の電子ブックリーダが共有されるコンテンツに対する一意の識別子を発生し、一意の識別子を含む可聴音を送出する。可聴距離内の他の電子ブックリーダ（すなわち、出席している他の読書クラブ会員の電子ブックリーダ）は、可聴音を受信し、含まれる一意の識別子を利用して共有される本を入手し、その本をそれらのデバイスのユーザに自動的に表示する。他の実施形態では、さらに以下で詳述するように、ユーザは、共有するコンテンツ内の特定のページを表示するかどうか、注釈を含むかどうか、コンテンツをどのように共有するかなどを指定することができる。
【０００５】
本の共有に加えて、さらに以下に説明するように、コンテンツには、様々な他のタイプの文書、会合の予定、連絡先、ウェブページ、またはユーザが他の会員と共有を望むか、さもなければ他のデバイスに転送を望む任意の他のタイプの情報も含まれ得る。たとえば、読書クラブの会合の最後に会員が次回の会合の予定を立てると仮定されたい。各会員が会合の時間と場所で各自のカレンダを更新し、会合で読む本を入手する必要なく、その代わりに読書クラブの中の一人が自分の電子ブックリーダを利用して、会合の時間、場所、および本の情報の共有を選択できる。電子ブックリーダは、共有されるコンテンツ（会合の時間、場所、および本）の一意の識別子を生成し、一意の識別子を含む可聴音を送出する。可聴距離内にある他の電子ブックリーダは、可聴音を受信し、含まれる情報を利用して会合の時間、場所および会合でグループによって話し合われる本を入手する。
【０００６】
図１（ａ）は、一実施形態によって、複数のデバイス間で迅速に好都合なやり方でコンテンツを共有するより詳細な図を示す。たとえば、多くのユーザが会合に出席し、その会合に第１のデバイス１０２を有するユーザが参加していることがあり得る。会合中に、ユーザは、話し合いたいウェブサイトに第１のデバイス１０２上でアクセスし得る。従来の手法では、ユーザは、ウェブサイトを出席者全員が見ることができるスクリーン上に投影することができる。しかし、このような手法は、第１のデバイスがプロジェクタに接続され適切に設定される必要があり、また、それを行ったとしても、室内の全ユーザがスクリーン上に現在表示されているページまたは部分のみを見ることに限定される。さらに、なお、電話を介して会合に参加する人々がいる場合は、その人々は投影されたコンテンツを閲覧できる利益を受けることができないこととなる。様々な実施形態による手法の１つを使用すると、ユーザは、本明細書では共有デバイスと呼ぶ、第１のデバイス上の選択肢を簡単に選択して、コンテンツを会合に参加している人々と「共有」できる。これは、室内もしくは電話を介して、または別の可聴接続のいずれかで、会合に出席しているユーザの他のデバイス１０４によって検出されることが可能な信号を送信することを含むことができる。
【０００７】
たとえば、共有デバイス１０２は、可聴範囲内で、本明細書では受信デバイスと呼ぶ、任意のデバイス１０４によって（それらがマイクロフォンまたは同様の音響入力機能を有するならば）検出することができる音響信号を送出することができる。会合の出席者全員がこのような受信デバイスを有する場合は、それぞれの受信デバイスは音響信号を検出し、その信号を復号して信号内の情報を見出すことができる。以下に説明するように、そのような信号を使用して符号化および復号化する多くの方法がある。この場合、信号は、各受信デバイス１０４に、情報信号を受信する準備をすべきであることを示す、「通知」信号を含むことができる。通知信号は、受信デバイス１０４を、共有されるコンテンツを受信できるように、レディー状態またはアクティブ状態にさせるために使用することができる。これには、受信デバイスを低電力状態（たとえば、スリープまたは休止状態）から覚醒させる、信号を受信および処理するために必要な構成要素を作動させる、または両方が含まれ得る。次に、共有デバイス１０２は、同一信号の一部としてまたは後続の信号として、共有されるコンテンツにアクセスするための情報を含む情報信号を送信することができる。情報信号を利用することにより、コンテンツを共有デバイス１０２から受信デバイス（複数可）に実際に送信することを必要とせず、デバイスがコンテンツを共有することができるようになる。情報信号は、受信デバイスが共有デバイス以外の資源からコンテンツにアクセス、または資源からコンテンツを入手できるように、単に、コンテンツの識別またはコンテンツへの場所へのポインタを提供し得る。この例では、情報信号は、ウェブサイトにアクセスするために使用されるＵＲＬの符号化バージョンを含むことができる。各受信デバイスが信号を受信し復号すると、各デバイス上のブラウザは、そのＵＲＬまたは他のアクセスの識別子に自動的にナビゲートし、ウェブサイトをユーザに表示することができる。このような手法を使用すると、各ユーザはウェブサイトを速やかに閲覧でき、サイトを所望通りに個別にナビゲートする能力を有することができる。上述のプロセスは、情報を、信号を検出する受信デバイスに速やかに通信し、サイトアドレスを誤ってタイプすることに関する問題を回避し、デバイスはアドレスにアクセスできない信号を検索できないので、情報の共有を限定する。
【０００８】
図１（ｂ）は、一実施形態による、共有されるコンテンツに関する情報を送信するための信号の組の一例、または多く使用される信号の一部を示す。信号１１０の組は、音響信号、または他の音に基づく信号などの任意の適切な信号を使用して送信され得る。一実施形態では、信号１１０の組は、３つの部分を含む：すなわち受信範囲内の機能を備えた各デバイスに情報信号１１８が間もなく送信されることを示す通知信号１１２；コンテンツの場所またはコンテンツの一意の識別子を示す情報信号１１８；および受信デバイス（複数可）に情報信号１１８が適切に受信されたことを確実にさせ得るエラー訂正信号１１６、または他のこのような機構である。信号１１０の組は、すべての部分を含む１つの単位として送信されるか、または各信号が１つまたは複数の部分を含むように別個で送信され得る。さらに、これらの部分は、通知信号１１２が送信の順序の最初のものである条件を満たすならば、任意の順序で送信され得る。追加の信号もしくは部分、より少ない信号もしくは部分、または他の信号もしくは部分を他の実施形態に従って使用して、本明細書に論じられているようにコンテンツを共有し得ることを理解されたい。
【０００９】
通知信号１１２を使用して、共有される情報が間もなく送信されることを受信デバイスに通知する。通知信号１１２を使用して、後に続く送信信号を受信し処理することができるように、受信デバイスをレディー状態に移行することができる。通知信号１１２は、低電力状態にあっても、受信デバイスが、情報信号１１８を受信する必要があるかどうかを決定するために定期的に聞き取るためのプリセット信号であり得る。いくつかの実施形態では、通知信号は、共有デバイスの識別情報、または、どの受信デバイスが通知信号１１２および／もしくはそれに続く情報信号１１８に注意を払うべきであるかの識別情報も含み得る。いくつかの実施形態では、他の受信デバイスは、特定の共有デバイスからの通知信号または特定の通知コードを含む通信信号のみに応答するように構成され得る。通知信号１１２を提供することによって、受信デバイスを、受信する情報がないときにディスプレイ、メモリなどから電力を除去するなどによって低電力状態に移行させることが可能になり、それによってバッテリの寿命を節約しながら、同時に共有される情報信号を受信することが可能になる。
【００１０】
エラー訂正信号１１６は、情報信号１１８が正確に、かつ完全に受信されたことを確実にするために使用される任意のタイプの検証信号であり得る。たとえば、エラー訂正信号１１６は、情報信号１１８のチェックサム値であり得る。受信デバイスは、受信した情報信号１１８に対して対応するチェックサム値を生成し、受信したエラー訂正信号１１６を生成したチェックサム値と比較することにより、情報信号１１８の正確さを検証することができる。信号が適切に受信されなかった場合、受信デバイスは、情報信号１１８が再送信される必要があるという再送信メッセージを送信し得る。エラー訂正信号１１６を含むことに加えて、またはエラー訂正信号１１６を含むことの代替として、情報信号１１８、および随意のエラー訂正信号１１６は、自動的に固定回数送信されて、情報信号１１８を受信するよう意図されたすべてのデバイスが信号をエラーなしに受信する可能性を増加させることができる。
【００１１】
またいくつかの実施形態では、反復信号（図示せず）も信号１１０の組に含まれ得る。反復信号は、個別の信号として通知信号１１２の送信後に送信系列内で送信され得るか、またはエラー訂正信号１１６、情報信号１１８もしくは送信に含まれる任意の他の信号の組合せの送信の一部として含まれ得る。反復信号を使用して、受信デバイスが通知信号１１２および情報信号１１８もしくは場合により信号１１０の組全体を送信または反復することを受信デバイスに通知する。反復信号は、送信が実行されるかどうかを通知する、単に、情報信号１１８の一部として提供される単一ビットであり得る。このような実施形態では、受信デバイスが反復信号の組を有する情報信号１１８を受信すると、受信デバイスは情報信号１１８を格納し、エラー訂正信号１１６に基づいてその正確さを確認し、情報信号１１８を受信したことを内部で通知し、その信号（複数可）を送信する。この送信は、信号１１０の組全体またはその一部のみを含み得る。同じデバイスが同じ信号を２回目に受信する場合（たとえば、信号を送信する別のデバイスから）、そのデバイスは、その信号をすでに受信し送信したと識別する。結果として、次に受信される信号は、受信デバイスによって廃棄されて送信されない。反復信号を信号１１０の組の一部として提供することによって、情報信号１１８が多くのデバイス中で信号を伝播することにより非常に多くの視聴者と共有されることが可能になる。さらに、内部で各受信デバイスに信号を受信し送信したことを通知することによって、信号が連続して送信されないことが確実になる。
【００１２】
情報信号１１８は、共有されるコンテンツを識別または入手するために使用される任意のタイプの信号またはデータであり得る。たとえば、情報信号１１８は、共有されるウェブページを入手するために使用されるＵＲＬ、１つまたは複数の英数字もしくは識別子、または共有されるコンテンツにアクセスするために使用可能な任意のタイプの他の情報を含み得る。ＵＲＬを含む情報信号の例では、受信デバイスは、ＵＲＬを使用してウェブページを直接入手し得る。代替的実施形態では、以下に詳述するように、情報信号１１８は、無作為に発生される数字など一意の識別子を含み得、受信デバイスは、その一意の識別子を使用して中央の場所からコンテンツを入手し得る。情報信号１１８は、共有デバイスの識別子も含み得る。情報信号１１８は、一意の識別子などの短いアクセス信号であり得、それは、共有デバイスおよび受信デバイスに認識されている共通ネットワーク資源にアクセスするために使用される。短い信号を利用すると、誤りが送信内に発生する可能性が低減され、また、信号がブロードキャストでなければならない範囲を低減することによりアクセスが制御可能にもなる。
【００１３】
情報信号１１８を受信すると、各受信デバイスは、情報信号１１８を復号でき、情報信号を使用して共有されるコンテンツにアクセスまたは共有されるコンテンツを入手できる。情報信号１１８は、特定のＵＲＬ、文書への参照、英数字の識別子、またはサーバシステムに送信されてその信号に関連したコンテンツを決定できる他の任意の比較的一意の信号であり得る。任意の適切な技法が使用され得るが、様々な実施形態では、共有デバイスは、他のすべてのデバイスが受信可能な信号を送出することによってコンテンツを受信デバイスに「押す」ことが可能であり、その結果受信デバイスは、ユーザがコンテンツの場所を入力することなく、またはコンテンツの場所を決定することなく、コンテンツに直接アクセスすることが可能になる。
【００１４】
通知信号１１２、エラー訂正信号１１６、および情報信号１１８に加えて、送信される信号１１０の組は、認証信号１１４を含み得る。認証信号１１４は、初めに、情報信号１１８とは独立して受信デバイスに提供され、受信デバイスが共有されるコンテンツを受信するよう認証されていることを確認するために使用される一意の識別子であり得る。信号１１０の組の一部として送信される他の信号と同様に、認証信号１１４は、他の信号と独立して送信されても、または送信される他の信号のうちの１つと組み合わされてもよい。さらに、認証信号１１４は、通知信号１１２の送信後に送信の系列の任意の点で転送され得る。
【００１５】
認証信号１１４を使用して、意図される受信者のみが共有される情報を受信することを確実するために、追加レベルの安全性を提供することができる。たとえば、ユーザが会議に出席する旨を登録すると、認証信号１１４が提供され、受信デバイスに格納される。会議の講演者が情報を共有することを決めると、認証信号が、送信された信号１１０の組に含まれ、受信デバイスは、コンテンツを入手するために、一致する認証信号を有することを求められる場合がある。あるいは、信号１１０の組は、受信デバイスがコンテンツを入手するために認証信号が必要であることを単に示すことがある。この実施形態では、受信デバイスが情報信号を受信して共有されるコンテンツを入手しようと試みると、認証信号または他の確認情報も提供するように求められる。任意のタイプの認証技法を本明細書に記載の実施形態とともに使用することができ、これらは単に例である。
【００１６】
認証信号１１４に加えて、または認証信号１１４の代替として、情報信号１１８は、任意のタイプの暗号化技法を使用して暗号化されてさらに安全性を高め、共有されるコンテンツに対する不正アクセスすを禁止することができる。暗号化に加えて、使用される送信のタイプは現在の環境に基づいても選択できる。たとえば、音響信号は、指向性が高くないという利点を有し、室内またはある一定の半径内で任意のユーザ／デバイスに可聴である。しかし、ある種の状況では、このことによって、その半径内の任意の意図しないユーザが通信を傍受することも可能になる。たとえば、会議室のすぐ外にいるユーザは、依然として音声信号を受信できる。したがって、上述のようなタイプの安全性または暗号化は、機密情報に対して用いられ得る。
【００１７】
別の例では、赤外線信号または同様の光に基づく信号を使用して、他のデバイスに送出できる。このような手法は、室外のユーザが一般に信号を受信できないという利点を有する。しかし、赤外線信号または同様の光に基づく信号の使用は、通常、デバイス同士が間に障害物がない状態で互いに向きあう必要があり、これは広い会議室に数人の出席者がいる場合は困難であり得る。このような状況では、全出席者に速やかに到達するために、会議室において、天井または壁などの異なる方向から信号を発生できる中継器または他のデバイスを設置することができる。
【００１８】
別の例では、様々なタイプの無線通信が使用できる。一部のタイプの無線送信（たとえば無線周波数送信）は、安全性に関して利点を提供し得るが、一部の例ではデバイスがより複雑である必要があり、したがってより高額となり得る。したがって、多くのデバイスがすでに少なくとも１つのスピーカおよびマイクロフォンを有するため、または比較的少ない費用で改変できるので、音響信号のような、より基本的な手法が一部の状況では好ましい場合がある。さらに、音響通信の利用により、たとえば、スピーカフォン、電話会議、またはテレビ会議によって会議に出席するユーザが、音響信号を受信し、所望のコンテンツにアクセスできるようになる。たとえば、東京のユーザがニューヨークで開かれている会議にスピーカフォンを介して参加する場合、ニューヨークの発表者のデバイスが信号１１０の組を送信すると、その送信がニューヨークから東京に遠隔通信網を介して中継され、スピーカフォンまたは他のこのようなデバイスを介して出力され、東京の会議出席者のデバイスが、速やかに信号を検出し所望のコンテンツにアクセスできるようになる。さらに、会議の出席者でない者、およびデバイスを有さない人が信号を聞いても、信号が理解されず、したがってコンテンツへのアクセスを有することはない。
【００１９】
図２（ａ）〜図２（ｂ）は、一実施形態によるデバイス間で情報を共有する一例を示す。会議の例を続けると、会議の出席者は、年次報告書などの文書について話し合うことを望む可能性がある。出席者が文書を共有デバイス２０２で閲覧する場合、出席者は、文書の共有を単に選択できる。一部の事例では、共有デバイス２０２のユーザ、この例では会議の出席者は、文書を開いていないが、文書へのショートカットもしくはリンクを見る、または文書の一覧を一連の検索結果内で見る可能性があり、「右クリック」あるいは選択肢を提示するなどの行為を実行して最初に文書を開くことなく文書を共有することが可能である。これは、ある種のデバイスまたは接続タイプにとってダウンロードするのに長時間かかる可能性がある文書に対して望ましくあり得、最初のユーザがその文書を開いている間に、その文書は同時に他のユーザと共用され、ダウンロードすることができるようになる。
【００２０】
文書を共有する選択に応答して、共有デバイス２０２は、情報信号および共有信号を生成する。情報信号および共有信号は、それらが類似の項目の情報を含み、関係があるので同時に生成することができる。たとえば、情報信号および共有信号はどちらも、共有されるコンテンツを識別または入手するために使用できる情報を含む。本明細書に記載のように、コンテンツにアクセスするための情報は、情報信号を受信する受信デバイス２０４が、情報を共通ネットワーク資源２０８に提供し、共有されるコンテンツを入手あるいはアクセスできる情報信号を受信できるように、情報信号内に含まれる。同様に、以下に説明するように、コンテンツにアクセスするための情報は、共通ネットワーク資源２０８に提供される共有情報内に含まれ、共通ネットワーク資源２０８は、受信デバイス２０４により要求されるとき、コンテンツを識別し共有することができる。
【００２１】
上述のように、情報信号は、共有されるコンテンツを識別または入手するために使用できる情報を含み、コンテンツを含まない。この例では、情報信号は、コンテンツを共有する要求に応答して、共有デバイス２０２によって生成された一意の英数字の識別子を含む。情報信号は、エラー訂正信号、共有コンテンツが入手され得る共通ネットワーク資源の識別、認証信号、反復信号などの他の信号をも含み得る。いくつかの実施形態では、共有デバイス２０２および受信デバイス２０４はどちらも、情報信号とは独立して、共通ネットワーク資源２０８の場所を突き止めアクセスするために必要な情報を有することができる。たとえば、共有デバイス２０２および受信デバイス２０８はどちらも、共有されるコンテンツへのアクセスを提供する、または共有されているコンテンツにアクセスするために使用する既定の共通ネットワーク資源２０８の場所を含む。
【００２２】
共有情報は、以下でより詳細に説明するように、共有されるコンテンツにアクセスするための情報を含む（たとえば、一意の英数字の識別子）。また、共有情報は、共有されるコンテンツの識別情報、またはいくつかの実施形態では、コンテンツ自体も含む。いくつかの実施形態では、コンテンツにアクセスするための情報およびコンテンツの識別情報は同じであり得、したがって共有情報内に１回のみ含まれる。たとえば、コンテンツにアクセスするための情報は、コンテンツおよびその情報にアクセスするための情報の両者を識別するＵＲＬであり得る。したがって、共有情報は、ＵＲＬの１つのインスタンスのみを含むことになる。
【００２３】
コンテンツにアクセスするための情報およびコンテンツの識別情報を含むことに加えて、共有情報はまた、共有デバイス２０２の識別情報および共有される情報に関する他の要件も含み得る。そのような他の要件は、これに限定されないが、共有されるコンテンツの有効期限、共有されるコンテンツにアクセスする受信デバイス２０４に関する情報が、共有デバイス２０２に戻って提供される旨の表示、共有されるコンテンツにアクセスし得るデバイスに対する制限、共有されるコンテンツに対する認証または暗号化コード、またはコンテンツが部分単位で（たとえば、ページ毎に）のみに共有される要件を含む。
【００２４】
情報信号および共有情報の生成後、共有デバイス２０２は、共有情報および情報信号を送信する。これらの送信は、互いに区別できるものであり、同時にまたは順次に発生することができる。この例では、情報信号は、会議に出席している他のユーザのデバイスが情報信号を受信できるように音声で送信される。共有情報は、共通ネットワーク資源２０８に個別に送信される。共有情報は、本明細書の他の場所に論じられているような、任意の送信媒体を使用して送信され得る。たとえば、共有情報は、有線通信または無線通信を介してインターネットなどのネットワーク２０６を経由して共通ネットワーク資源２０８に送信され得る。
【００２５】
共通ネットワーク資源２０８は、共有情報を受信すると、共有されるコンテンツを有する、または共有されるコンテンツにアクセスできることを確認する。共通ネットワーク資源２０８は、コンテンツにアクセスするための情報（たとえば、一意の英数字の識別子）とコンテンツの間に関連付けを生成する。いくつかの実施形態では、共通ネットワーク資源２０８が共有されるコンテンツにアクセスできない場合、またはが共有されるコンテンツが共有情報内に含まれていない場合、共通ネットワーク資源２０８は、コンテンツを共有デバイス２０２から入手し得る。
【００２６】
また、共通ネットワーク資源２０８によって生成された関連付けは、共有デバイス２０２を識別し、任意の他の要件または共有情報内に含まれる情報を含み得る。共通ネットワーク資源２０８が共有されるコンテンツへのアクセス要求を受信すると、それに応じて提供される共有されるコンテンツを識別することが可能になるように、関連付け情報が使用される。さらにまた、関連付け情報は、コンテンツが受信デバイス２０４に戻って提供される前に、共有されるコンテンツに関する任意の要件を識別するために使用され得る。
【００２７】
受信デバイス２０４は、音声で送信された情報信号を共有デバイス２０２から受信すると、情報信号内で識別された共有されるコンテンツ入手の要求を共通ネットワーク資源２０８に送信する。共有されるコンテンツへのアクセス要求は、情報項目の中でもとりわけ、音声で送信された情報信号から入手されたコンテンツにアクセスするための情報、受信デバイス２０４の識別情報および受信デバイス２０４のユーザの識別情報を含み得る。共有されるコンテンツへのアクセス要求は、任意の典型的な形態の送信を使用して送信され得る。たとえば、共有されるコンテンツへのアクセスの要求は、有線通信または無線通信を介してネットワーク２０６を経由して共通ネットワーク資源２０８に送信され得る。
【００２８】
ここで図２（ｂ）を参照すると、共通ネットワーク資源２０８は、受信デバイス２０４から共有されるコンテンツへのアクセス要求を受信すると、要求に含まれる情報を関連付け情報と比較して、受信デバイス２０４と共有されるコンテンツを識別する。会議の例を続けると、共有されるコンテンツへのアクセス要求に含まれる一意の英数字記号は、関連付け情報内に位置し、共有される対応するコンテンツが識別される。受信デバイス２０４と共有されるコンテンツを識別すると、共通ネットワーク資源２０８は、コンテンツを受信デバイス２０４に提供する。共有されるコンテンツを受信デバイスに提供することは、一実施形態では、コンテンツのコピーを受信デバイスに送信すること、または受信デバイス２０４に、受信デバイスが共有されるコンテンツを直接入手できるもしくは共有されるコンテンツにアクセスできる資源を識別するネットワーク位置または他の参照情報を提供することによって達成される。共有されるコンテンツが受信デバイス２０４によって受信されると、共有されるコンテンツは、受信デバイス２０４のユーザに自動的に提供され得る。代替の実施形態では、コンテンツを格納することなどの他の機能は、受信デバイス２０４によって受信された共有されるコンテンツに関して実行され得る。
【００２９】
図２（ａ）〜図２（ｂ）において説明された上のプロセスは、コンテンツが共有デバイス２０２と少なくとも１つの受信デバイス２０４の間で、受信デバイス２０４（複数可）がコンテンツを共有デバイス２０２から直接入手することなしに、好都合に共有されることが可能な方法の一例である。本明細書に記載の実施形態を利用すると、共有デバイスのユーザが各受信デバイスを具体的に識別することも、また受信デバイスのユーザがコンテンツを手動で入手することも必要とせず、コンテンツを可能性として、多くのデバイスと共有することが可能になる。さらに、受信デバイス２０４が共有されるコンテンツを共通ネットワーク資源２０８から入手すると、共有デバイス２０２のユーザは、共通ネットワーク資源２０８を介して、制御信号を受信デバイス２０４に送り、受信デバイス２０４に指示して、受信デバイス２０４に共有されるコンテンツの特定の部分（たとえば、特定のページ）を表示させる、共有されるコンテンツの部分を強調表示させる、注釈をつけさせるもしくは修正させる、または受信デバイスを他の共有されるコンテンツへ向けさせることとができる。
【００３０】
いくつかの実施形態では、デバイスを、情報信号を受信すると自動的に指定されたコンテンツにナビゲートするように設定することができる。このような実施形態では、ユーザは、初めに受信デバイス上で特定の聴取状態を作動させることが必要となり得る。この実施形態は、会議が他の人々とコンテンツを共有する主な講演者（複数可）で進められるときに、特に有用である。出席者が自分のデバイスを聴取状態に設定すると、自動的に情報信号を受信し、共有されるコンテンツにアクセスし、共有されるコンテンツをそれぞれのデバイスに表示する。さらに、後続の制御信号をプレゼンテーション中に送信して、コンテンツとのさらなるやりとりを提供できる。後続の制御信号は、共有デバイスに、音声でまたは以下に記載のような他の手段を通じて配信することができる。たとえば、講演者がプレゼンテーションを共有した場合、講演者がプレゼンテーション中で新しいスライドまたはページに移行する度に、制御信号が、受信デバイスに送信されて、同様に表示されているコンテンツを新しいページに変更させることができる。一実施形態では、制御信号は、情報信号１１８を送信する方式と同様の方式で音声で送信され得る。あるいは、図２（ａ）〜図２（ｂ）および図６（ｃ）に関して以下に説明するような、共通ネットワーク資源を有するシステムでは、受信デバイスが共有デバイスによって共有されるコンテンツにアクセスするように要求すると、共通ネットワーク資源は関連付けを共有デバイスと受信デバイスとの間に生成し保持する。関連付けが生成されると、制御信号は、共有デバイスと受信デバイスの間のさらなる直接通信なしに、共有デバイスから受信デバイスに共通ネットワーク資源を介して送信され得る。たとえば、会議の講演者がプレゼンテーションを共有する場合、講演者がプレゼンテーション内の新しいページまたはスライドに移行する度に、講演者のデバイス、すなわち共有デバイスは、制御信号を生成して共通ネットワーク資源に送信することができる。共通ネットワーク資源は、このような制御信号を受信すると、この制御信号を共有されるコンテンツにアクセスしたすべての受信デバイスに自動的に送信できる。次に、受信デバイスは、制御信号の受信に応答して新しいページ／スライドに自動的に移動できる。代替の実施形態では、受信デバイスのユーザは、デバイスが動作を継続する前に、コンテンツの新しいページへの移行を常に確認しなければならない可能性がある。また、さらに、初期の時点で、受信デバイスのユーザは、受信デバイスがコンテンツにナビゲートする前に、常に共有されるコンテンツへのアクセス要求を確認することを選択し得る。このような確認により、他の人々が所望しないコンテンツをデバイスに押し入れることを防止する。
【００３１】
図３は、様々な実施形態に従って使用できるデバイス３００、すなわち受信デバイスまたは共有デバイスの構成要素を示す。これらは解説のための例示に過ぎず、当技術分野では周知の通り、多くの追加の構成要素、構成、組立形態、および組合せが可能であることを理解されたい。図示されるように、各デバイスは、一般にメモリ３０４内に記憶された命令を実行でき、情報をディスプレイ部品３０６上に生成できる少なくとも１つのプロセッサ３０２を含む。ユーザが歌または他の音響情報を携帯音楽プレーヤ間で共有する場合などの実施形態では、ディスプレイは必要ないことがある。各デバイスは、情報信号を受信するための受信器３１２を備えることができ、また情報信号を送信するための送信機３０８も備え得る。いくつかのデバイスでは、単一の構成要素すなわちトランシーバは、両方の機能を実行することがある。すでに述べたように、受信器がマイクロフォンまたは赤外線ポートなどの構成要素を含むことができ、送信機はスピーカまたは赤外線送信機を含むことができるような、様々な他の信号および信号タイプの中でとりわけ、送信され得るタイプの信号は、音または光に基づく信号を含むことができる。デバイスは、コンテンツの情報および任意の他の適切な情報を、情報信号として送信されるように符号化できるエンコーダ３１０も含む。エンコーダ３１０、または個別のデコーダ部品を使用して、別のデバイスから受信した情報信号を復号することもできる。いくつかの実施形態では、エンコーダ３１０は、メモリ３０４に記憶されているソフトウェアによって具現化され、プロセッサによって実行される。デバイスは、情報信号を入手すると、デバイスがコンテンツにアクセスできるようにする、ネットワーク・アダプタ３１４をも含むことができる。本明細書の他の部分で論じたように、これには、インターネット、イントラネット、または無線接続を確立するなど、任意の適切なネットワークに接続するための任意の適切なネットワーク・アダプタを含むことができる。共有するコンテンツを有するデバイスのために、コンテンツがデバイス上に局所的に記憶された場合、ネットワーク・アダプタを使用してコンテンツを特定の場所にアップロードすることもできる。
【００３２】
図４は、構成要素４００の一例を示し、デバイス４０２は、様々な実施形態に従ってコンテンツを共有することができる。この例では、デバイスの１つである共有デバイスは、上述のように、情報信号を他のデバイスである受信デバイスに送信する。上記で特定されるように、情報信号は、音響信号または任意の他のタイプの音に基づく信号であり得る。さらに、情報信号は、赤外線信号、Ｗｉ−Ｆｉ送信、ブルートゥース（Ｂｌｕｅｔｏｏｔｈ）（登録商標）送信（ブルートゥース（登録商標）は、Ｂｌｕｅｔｏｏｔｈ  ＳＩＧ，Ｉｎｃ．ｏｆ  Ｂｅｌｌｅｖｕｅ，Ｗａｓｈｉｎｇｔｏｎの登録商標である）または任意の他のタイプの無線送信であり得る。
【００３３】
受信デバイスは、信号を復号でき、共有される情報にアクセスできる。たとえば、本明細書の他の部分に記載されているように、情報信号がＵＲＬであり、デバイスがネットワーク４０６への接続を有する場合、デバイスは、コンテンツに、コンテンツに対する要求をウェブ・サーバ４０８に送信することにより、インターネットからアクセスできる。ウェブ・サーバ４０８は、ＵＲＬまたは同様の位置表示に基づいてコンテンツの場所を確認し、コンテンツをコンテンツ保存場所４１０から引き出してデバイスに提供することができる。コンテンツが、職場のネットワークもしくは他の共通ネットワーク資源に保存されている文書または他のものである場合、デバイスは、要求をネットワーク４０６を経由して企業サーバ４１２または同様の構成要素に送信してコンテンツを企業データベース４１４または同様のデータ・ストアから入手することができる。電子ブックリーダなどのデバイスに対して、デバイスは、従来のネットワーク接続を有さず、無線ネットワークを介する機能は制限されているのみであり得る。このような場合、デバイスは、無線受信器４１６、塔、基地局、または他のこのような構成要素によって受信できる無線要求を送信することができ、それは、コンテンツをデータ・ストア４２０からコンテンツ・サーバ４１８を使用して位置付けることができ、次いでコンテンツを同じもしくは異なる送信機、基地局などを使用してデバイスに戻して送信することができる。また、同様の手法で、無線ネットワークを使用して、ウェブ・サーバ４０８にアクセスしてコンテンツをデータ・ストア４１０から入手する、または企業サーバ４１２もしくは他の共通ネットワーク資源にアクセスしてコンテンツをデータ・ストア４１４から入手し得る。理解されているように、複数のデバイスが情報信号を受信している例では、各デバイスは、各デバイスが任意のこれらの手法または他の手法を使用してコンテンツを入手するように、異なる機能を有し得る。
【００３４】
図５（ａ）〜図５（ｂ）は、様々な実施形態に従って使用できるコンテンツを共有するための例示的方法を示す。図５（ａ）は、第１のデバイス、すなわち共有デバイスを有する第１のユーザが、コンテンツを第２のデバイス、すなわち受信デバイスを有する第２のユーザと共有することができるプロセス（５００）を示す。しかし、このような手法によって、単一のユーザが情報をデバイス間でファイルを転送するなどの異なるデバイス間で情報を共有できるようにもなることを理解されたい。この例では、共有デバイスは、コンテンツの選択を第１のユーザから受け取る（５０２）。論じたように、これには、第１のユーザが文書を開くこと、ウェブページを閲覧すること、検索結果を選択すること、あるいは特定のコンテンツを指定することが含まれ得る。共有デバイスは通常、コンテンツを表示用にページもしくは文書を表現すること、音響または動画ファイルを再生すること、または同様の行為を実行することなどにより、第１のユーザに提供することになる（５０４）。次に、共有デバイスは、コンテンツを共有する要求を第１のユーザから受けることができる（５０６）。論じたように、これには、第１のユーザが、コンテンツを別のユーザと共有するために、選択肢またはメニュー項目を共有デバイスのインターフェイス上で選択することが含まれ得る。ディスプレイのない音響装置に対しては、たとえば、これには、所望の歌もしくは音響ファイルが共有されるときに、ボタンを押すことまたは他のユーザが選択可能な要素を選択することが含まれ得る。
【００３５】
この例では、共有デバイスは、情報信号の送信を、共有デバイスが情報信号に送信しようとしている（５０８）ことを示す通知信号を、受信範囲内にある、機能を備えた他のデバイスに送信することによって開始する。通知信号の送信は、機能を備えた受信デバイスによって検出されたときに、情報信号を受信し、情報信号をエラーなしに受信したかどうかを判定しようと試みることができるように、そのデバイスをレディー状態にさせる特定の発信音またはコードを送信することを含むことができる。いくつかの実施形態では、共有デバイスは、長い乱数などの一意の識別子を生成し、次に一意の識別子を含む符号化された信号を送出する。通知信号に続く所定の遅延の後、共有デバイスは、情報信号を送信する（５１０）。論じたように、いくつかの実施例では、共有デバイスは、情報信号を符号化および／または暗号化した後に送信することができる。送信系列の一部として、または情報信号の一部として、エラー訂正信号を、情報が正確に受信されたかどうかを、受信デバイスが速やかに判定できるように送信し得る。同様のやり方で、認証信号も送信することが可能であり、それによって認証された受信者のみが共有されるコンテンツを受信することを確実にするように、さらなる安全性が提供される。いくつかの実施形態では、情報信号は、計３つの送信など、何回も繰り返され得る。このような手法は、受信デバイスが情報信号をエラーなしに受信できることを確実にする助けとなり得る。たとえば、音響信号が１回のみ送信された場合、誰かが咳をする、または椅子を動かすなどの任意の雑音が、信号が適切に受信されることを阻む可能性がある。共有デバイスが信号を送信することに加えて、情報信号は、情報信号を送信するべき旨を受信デバイスに示す反復信号を含むことができ、それによって、すべての意図されているデバイスが情報信号をエラーなしに受信できる可能性が増加する。
【００３６】
いくつかの実施形態では、受信デバイスは、情報信号が適切に受信されなかった場合、エラーの発信音またはエラー信号を送信することができる。受信デバイスは、エラーコードが情報と合わない、不完全な量のデータが受信されている、またはデバイスが受信情報信号から入手された情報を使用してコンテンツの場所を確認できていないなどの、任意の多くの手法を通して、情報信号が適切に受信されなかったことを認識することができる。共有デバイスは、エラー信号が受信デバイスのうちの１つから受信されたかどうか（５１２）を判定するために一定期間聞き取ることができる。各受信デバイスが、追加としてまたは代替として情報信号を首尾よく受信したという発信音もしくは信号を発し得るが、多くの状況で共有デバイスは、情報をいくつの受信デバイスが受信するはずであったかはわからない。したがって、共有デバイスは、すべての受信デバイスが、確認信号を送信する情報を首尾よく受信したデバイスのみに基づいて、情報を首尾よく受信したかどうかはわからないこととなる。エラー信号が受信されると（５１４）、次いで共有デバイスは、情報信号を再び送信できる。送信後にエラー信号が受信されない場合、共有デバイスは、すべての適切なデバイスが情報信号を受信したとみなすことができ、送信プロセスを終了することができる（５１６）。
【００３７】
図５（ｂ）は、様々な実施形態による第２のデバイス、すなわち受信デバイスと共に使用できる応答プロセス（５５０）を示す。このプロセスでは、受信デバイスのユーザは、インターフェイスを通して選択肢を選択する、またはデバイス上のスイッチを動かすなどにより、聞取りモードを作動させる（５５２）ことができる。暗号化、安全コード、または認証コードを使用する一実施形態では、ユーザも、受信デバイスが特定の情報のみを聞き取るようにコードを入力、選択、あるいは作動させ得る。次に、受信デバイスは、通知信号を別のデバイスから受信し、通知信号がそのデバイスに対する所期の信号であることを（たとえば、暗号化、安全コード、または認証コードを介して）随意に確認するのを受動的に待機することができる。受信デバイスがそのような通知信号を受信し（５５４）、暗号化、安全コード、または認証コードを随意に確認すると、受信デバイスは、応答する情報信号を能動的に聞き取ることができる（５５６）。情報信号を聞き取る際、受信デバイスは、入力した音を分析して、適切な情報信号を任意の符号化、エラー訂正、または他の情報とともに判定しようと試みることができる。情報信号を受信した（５５８）後、受信デバイスは、情報信号を復号することによって、およびエラー訂正コードを適用することなどによって、情報が適切に受信されたかどうか（５６０）を検証することができる。情報が適切に受信されなかった（５６２）場合、受信デバイスは、情報信号の再送信を待機するか（５６３）、またはエラー信号を送出する（５６８）かのどちらかを行うことができ、それによって情報信号の再送信が要求される。デバイスは、再送信を所定の回数または所定の期間待つ（５６３）ように決定し得る。たとえば、受信デバイスは、情報信号の３つの試みられた送信より少ない受信をした場合、受信デバイスは、エラー信号を送信する（５６８）前に、所定の期間（たとえば、１０秒）待機し得る。しかし、受信デバイスが情報信号の３つの試みられた送信をすでに受信している場合、受信デバイスは、情報信号を再度要求するエラー信号を自動的に送信し得る（５６８）。いくつかの実施形態では、１つの受信デバイスがエラー信号を送出することによって、元の送信デバイス以外のデバイスに情報信号を再送信させることができ、元の共有デバイスの信号範囲の端部における受信デバイスが情報を範囲内にあるデバイスから入手できる。情報が適切に受信され、復号されると、受信デバイスは、コンテンツにアクセスする、またはコンテンツを識別された場所から入手し（５６４）、コンテンツを第２のユーザに受信デバイスを介して提供できる（５６６）。
【００３８】
図６（ａ）〜図６（ｃ）は、様々な実施形態に従って使用され得るコンテンツのさらなる共有方法を示す。図６（ａ）は、共有デバイスを有する第１のユーザが、受信デバイスを有する第２のユーザとコンテンツを共有できるプロセス（６００）を示す。しかし、このような手法によって、単一のユーザが、デバイス間でファイルを転送するなど異なるデバイス間で情報を共有できるようにもなることを理解されたい。この例では、共有デバイスは、コンテンツの選択を第１のユーザから受け取る（６０２）。論じたように、これには、ユーザが文書を開くこと、ウェブページを閲覧すること、検索結果を選択すること、あるいは特定のコンテンツを指定することが含まれ得る。共有デバイスは通常、コンテンツを表示用にページもしくは文書を表現すること、音響または動画ファイルを再生すること、または同様の行為を実行することなどにより、ユーザに提供する（６０４）。次に、共有デバイスは、コンテンツを共有する要求を第１のユーザから受け取ることができる（６０６）。論じたように、これには、第１のユーザがコンテンツを別のユーザと共有するために、選択肢またはメニュー項目を共有デバイスのインターフェイス上で選択することが含まれ得る。ディスプレイのない音響装置に対して、これには、所望の歌もしくは音響情報が共有されるときに、ボタンを押すことが含まれ得る。
【００３９】
この例では、共有デバイスは、無作為に発生させた数などの一意の識別子を生成し（６０７）、その識別子を共有されるコンテンツに関連付ける。次に、一意の識別子および共有されるコンテンツの識別情報、またはコンテンツ自体が、コンテンツが共有されるすべてのデバイスによりアクセス可能な共通ネットワーク資源に送信される（６０８）。この情報は、本明細書で集合的に「共有情報」と呼ばれる。一意の識別子およびコンテンツ情報に関連付けられるべきコンテンツの識別情報を含むことに加えて、さらなる情報を共有情報に含め得る。たとえば、共有情報は、共有デバイスの一意の識別子などの共有デバイスについての情報、共有されるコンテンツに対する有効期限（以下に説明される）、コンテンツが共有される方法の要件（たとえば、ページ毎に、または一斉に）、コンテンツにアクセスする受信デバイスについての関連付け情報が、共有デバイスに戻って提供されるかどうかなどが含まれ得る。たとえば、共通ネットワーク資源は、コンテンツ・プロバイダ、コンテンツ保存場所、デバイス用企業サーバ（オフィスネットワークの場所のような）などが含まれ得る。
【００４０】
共有情報を共通ネットワーク資源に提供することに加えて、共有デバイスはまた、情報信号の送信を、通知信号を送信すること（６０９）によって開始して、共有デバイスが情報信号を送信しようとしていることを範囲内の機能を備えた他のデバイスに示す。通知信号の送信は、機能を備えた受信デバイスによって検出されたときに、情報信号を受信し、情報信号をエラーなしに受信したかどうかを判定しようと試みることができるように、そのデバイスをレディー状態にさせる特定の発信音またはコードを送信することを含むことができる。通知信号に続く所定の遅延の後、共有デバイスは、情報信号を送信する（６１０）。この実施形態では、情報信号は、生成され、コンテンツに関連付けられた識別子である。また、情報信号は、共通ネットワーク資源へのポインタまたは共通ネットワーク資源の識別情報を含み得る。代替的実施形態では、共通ネットワーク資源は、すべてのデバイスにすでに知られている可能性があり、したがって情報信号に追加情報を含む必要はない。
【００４１】
さらに、いくつかの実施形態では、共有デバイスは、情報信号を送信前または送信中に符号化および／または暗号化することができる。受信デバイスが情報が正確に受信されたかどうかを速やかに判定できるように、送信系列の一部として、または情報信号の一部として、エラー訂正信号を送信し得る。同様のやり方で、認証信号も送信され得、それによって認証された受信者のみが共有されるコンテンツを受信することを確実にするさらなる安全性が提供される。
【００４２】
いくつかの実施形態では、情報信号は、計３つの送信など、何回も繰り返され得る。このような手法は、受信デバイスが情報信号をエラーなしに受信できることを確実にする助けとなることができる。たとえば、音響信号が１回のみ送信された場合、誰かが咳をする、または椅子を動かすなどの任意の雑音が、信号が適切に受信されることを阻む可能性がある。共有デバイスが信号を送信することに加えて、情報信号は、情報信号を送信するべき旨を受信デバイスに示す反復信号を含むことができ、それによって、すべての意図されているデバイスが情報信号をエラーなしに受信できる可能性が増加する。
【００４３】
いくつかの実施形態では、受信デバイスは、情報信号が適切に受信されなかった場合、エラーの発信音またはエラー信号を送信することができる。受信デバイスは、エラーコードが情報と合わない、不完全な量のデータが受信されている、またはデバイスが受信情報信号から入手された情報を使用してコンテンツの場所を確認できていないなどの、多くの手法を通して、情報信号が適切に受信されなかったことを認識することができる。次に、共有デバイスは、エラー信号が受信デバイスのうちの１つから受信されたかどうか（６１２）を判定するために一定期間聞き取ることができる。また、各受信デバイスが、情報信号を首尾よく受信したという発信音もしくは信号も発し得るが、多くの状況で共有デバイスは、情報をいくつの受信デバイスが受信するはずであったかはわからない。したがって、共有デバイスは、すべての受信デバイスが、確認信号を送信する情報を首尾よく受信した受信デバイスのみに基づいて、情報を首尾よく受信したかどうかはわからないこととなる。エラー信号が受信されると（６１４）、次いで共有デバイスは、情報信号を再び送信できる。送信後定義された期間の後にエラー信号が受信されない場合、共有デバイスは、すべての適切な受信デバイスが情報信号を受信したとみなすことができ、送信プロセスを終了することができる（６１６）。
【００４４】
図６（ｂ）は、様々な実施形態による第２のデバイス、すなわち受信デバイスと共に使用できる応答プロセス（６５０）を示す。このプロセスでは、受信デバイスのユーザは、インターフェイスを通して選択肢を選択する、または受信デバイス上のスイッチを動かすなどにより、聞取りモードを作動させる（６５２）ことができる。暗号化、安全信号、または認証信号を使用する一実施形態では、ユーザもまた、受信デバイスが特定の情報のみを聞き取るように信号を入力、選択、あるいは作動させ得る。次に、受信デバイスは、通知信号を別のデバイスから受信し、通知信号がそのデバイスに対する所期の信号であることを（たとえば、暗号化、安全信号、または認証信号を介して）随意に確認するのを受動的に待機することができる。受信デバイスがこうした通知信号を受信し（６５４）、暗号化、安全信号、または認証信号を随意に確認すると、受信デバイスは、応答する情報信号を能動的に聞き取ることができる（６５６）。情報信号を聞き取る際、受信デバイスは、入力する音を分析して、適切な情報信号を（６５８）任意の符号化、エラー訂正、または他の情報とともに判定しようと試みることができる。次に、受信デバイスは、情報を復号することによって、およびエラー訂正信号を適用することなどによって、情報が適切に受信されたかどうか（６６０）を検証することができる。情報信号が適切に受信されなかった（６６２）場合、受信デバイスは、情報信号の再送信を待機するか（６６３）、またはエラー信号を送出する（６６８）かのどちらかを行うことができ、それによって情報信号の再送信が要求される。受信デバイスは、再送信を所定の回数または所定の期間待つ（６６３）ように決定し得る。たとえば、受信デバイスは、情報信号の３つの試みられた送信より少ない受信をした場合、エラー信号を送信する（６６８）前に、所定の期間（たとえば、１０秒）待機し得る。しかし、受信デバイスが情報信号の３つの試みられた送信をすでに受信している場合、受信デバイスは、情報信号を再度要求するエラー信号を自動的に送信し得る（６６８）。いくつかの実施形態では、受信デバイスがエラー信号を送出することによって、共有デバイス以外のデバイスに情報信号を再送信させることができ、元の共有デバイスの信号範囲の端部におけるデバイスが情報を範囲内にあるデバイスから入手できる。情報が適切に受信され、復号されると、受信デバイスは、一意の識別子を含む共有されるコンテンツの入手の要求を共通ネットワーク資源に送信する（６６４）。一意の識別子を送信することに加えて、受信デバイスはまた、共有デバイスの識別情報をも送信する。情報の安全性は、一意の識別子の使用、随意の共有デバイスの識別情報の使用、および共有されるコンテンツが共有されるデバイスのみに知られている共通ネットワーク資源の使用を通して高められる。特に、情報信号が意図しないデバイスによって傍受された場合であっても、または受信された場合であっても、意図しないデバイスは、共通ネットワーク資源を知ることなしにコンテンツを入手することはできない。一意の識別子を共通ネットワーク資源に送信することに応答して、受信デバイスは、コンテンツまたはコンテンツへのリンク（たとえば、ＵＲＬ）を提供され（６６５）、コンテンツを第２のユーザに受信デバイスを介して提供する（６６６）。
【００４５】
図６（ｃ）は、様々な実施形態に従って共有情報を共有デバイスから受信し、共有されるコンテンツを受信デバイスに提供する共通ネットワーク資源によって使用可能な対応するプロセス（６８０）を示す。このプロセスでは、共通ネットワーク資源は、共有情報を共有デバイスから受信する（６８２）。一般的な実施形態では、これは、たとえば、コンテンツの特定項目のへのポインタまたはＵＲＬであり得る。図６（ａ）〜図６（ｂ）に関して記載されているような代替的な実施形態では、共有情報は、一意の識別子、一意の識別子に関連づけられているコンテンツの識別情報および共有デバイスの識別情報を含み得る。共有情報を受信すると、共通ネットワーク資源は、共有情報に含まれる一意の識別子、識別されたコンテンツおよび共有デバイスとの関連付けを発生させる（６８４）。これは、コンテンツのコピーが保持され、または共通ネットワーク資源によってアクセス可能であることを確認することが含まれ得る。共通ネットワーク資源が共有されるコンテンツのコピーを有していない場合、共通ネットワーク資源は、そのコンテンツを共有デバイスまたは別の場所から入手できる。また、関連付けを一意の識別子とコンテンツとの間に発生させることに加えて、共有デバイスも、一意の識別子に関連付けされ得る。
【００４６】
いくつかの実施形態では、共有情報は、有効期限をも有し得る。有効期限は、共通ネットワーク資源に、対応する一意の識別子を利用したコンテンツを共有する要求に応答して、コンテンツが提供される期間を通知する。たとえば、会議の講演者が関連したコンテンツを１日間のみ共通されることを望む場合、有効期限は、一意の識別子に関連付けられたコンテンツが１日間のみ共通されることを特定する。他の実施形態では、共通ネットワーク資源は、既定の有効期限を指定し得る。このような既定の時間は、事前に設定した期限に基づいても、または動的に生成されてもよい。有効期限が動的に生成される例では、多くの異なる技法が使用され得る。たとえば、有効期限は、コンテンツを共有する要求が受信された測定頻度に基づいて動的に設定され得る。要求の頻度が減少すると、有効期限は、最低頻度に到達後、コンテンツがもはや共有ができなくなるように設定され得る。
【００４７】
共通ネットワーク資源を利用する別の利益は、コンテンツが共有されていた事象の再生を閲覧している場合でさえ、共有されるコンテンツが、ユーザ・デバイスによってアクセスでき、利用できるようになることである。たとえば、コンテンツがプレゼンテーション会議中に共有され、ユーザがそのプレゼンテーションの録画や録音を閲覧し、または聴取している場合、元のプレゼンテーション中に音声で生成された通知信号および後継の情報は、録画、録音によって再生され、ユーザのデバイスに情報が提供される。ユーザのデバイスは、あたかもその場で参加しているように、共通ネットワーク資源に対し、共有されるコンテンツにアクセスし入手するのに必要な情報を提供できることとなる。結果として、デバイスのユーザは、ユーザが録画もしくは録音されたプレゼンテーションを閲覧していながら、デバイス上のコンテンツを閲覧できる。さらに、コンテンツが株式市況などの動的なコンテンツである場合、資料は、記録された事象の閲覧がコンテンツの現在の版を提供するように、自動的に更新され得る。
【００４８】
共有情報を共有デバイスから受信することに加えて、共通ネットワーク資源は、図６（ｂ）に記載のものなどの一意の識別子、受信デバイスの識別情報、および随意で共有デバイスの識別情報を含む、コンテンツにアクセスする要求（６８６）を受信デバイスのから受信することができる。コンテンツへのアクセス要求を受信すると、要求に含まれている一意の識別子が共通ネットワーク資源によって維持されている一意の識別子に対応するかどうかが確認される（６８８）。いくつかの実施形態では、この確認は、一意の識別子がコンテンツへのアクセス要求内で識別される共有デバイスと関連付けられていることを確認することを含み得る。受信デバイスによって提供される一意の識別子が知られていない、または所定の期間使用されていない場合、要求は拒否される（６８９）。しかし、一意の識別子が認知され、最新のものである場合、受信デバイスは、共有デバイスと関連付けられており（６９０）、その関連付けが共有デバイスに戻して提供されるかどうかに関しての判定が行われる。
【００４９】
受信デバイスと共有デバイスの間の関連付けは、様々な理由で保持され得る。たとえば、このような関連付けは、共有されるコンテンツにアクセスする人の識別を確認する安全性の理由のため、会議に出席したユーザを識別するため、および追加情報を共有デバイスに提供するために保持され得る。一例をさらに示すと、コンテンツが会議中に共有され、共有デバイスのユーザがコンテンツの更新または訂正を後で必要とする場合、共有されるコンテンツは、共通ネットワーク資源上で容易に更新され、共通ネットワーク資源は、更新されたコンテンツを適切な受信デバイスに提供できることとなる。共有されるコンテンツに更新を提供することに加えて、関連付けは、他の目的に使用され得る。たとえば、コンテンツが会議の一部として共有され、フォローアップの会議が予定されている場合、関連付けられたデバイスを選択して会議の詳述を共有することが簡単にできる。その情報は、共通ネットワーク資源に提供され、共通ネットワーク資源は、その情報を関連付けられたデバイスに自動的に提供する。上述のように、共通ネットワーク資源によって保持されている関連付け情報を使用して、制御信号（たとえば、次のスライド／ページに進む）を、共有されるコンテンツにアクセスしている受信デバイスに提供することもできる。さらに、関連付け情報を使用して、使用状況または幅広く興味をもたれている主題に関する統計情報を集める、または共有されるコンテンツのタイプに基づいて的を絞った内容をデバイスのユーザに提供し得る。
【００５０】
コンテンツにアクセスする共有デバイスの関連付けを保持することに加えて、それらの関連付け情報を、共有を開始したデバイス（６９２）および随意に他のデバイスに戻して提供されるかどうかに関しての判定が行われる。このような決定は、受信デバイスのユーザ選択に基づいてもよく、または共有されるコンテンツのアクセス要件であってもよい（共有デバイスによって規定されているように）。関連付け情報を共有デバイスに戻して提供することによって、そのデバイスのユーザに、コンテンツが共有される閲覧者についての追加情報が提供される。たとえば、コンテンツの共有を開始したユーザが授業の教師でる場合、共有されるコンテンツを要求し、アクセスしている受信デバイス（またはそれらのデバイスのユーザ）を特定する情報を教師のデバイスすなわち共有デバイスに戻して提供することにより、教師に、だれがその資料を読んでいるか、またはクラスに参加しているかを特定する。
【００５１】
関連付け情報を共有デバイスに戻して提供することが決定される場合、共通ネットワーク資源は、受信デバイスに関する情報、それらのデバイスのユーザに関する情報、またはその両方を共有デバイスに送信する（６９４）。受信デバイスに関する関連付け情報は貯えられ、すべての受信デバイスが、所定の期間後共有デバイスに識別され得る。あるいは、関連付け情報は、共通ネットワーク資源が、別の受信デバイスから共有されるコンテンツへのアクセスする要求を受信する毎に、共通ネットワーク資源により共有デバイスに提供され得る。共通ネットワーク資源は、関連付け情報を開始デバイスに提供する際、またはそのような関連付け情報を提供しないと決定した後に、共有されるコンテンツを受信デバイスに提供する（６９６）；または共有されるコンテンツに対するアクセスを提供する。これは、共通ネットワーク資源が受信デバイスにコンテンツの実際のコピーまたはＵＲＬなどの共有されるコンテンツの具体的な場所へのポインタを提供することにより達成することができる。
【００５２】
共有を開始したデバイスに戻して提供される関連付け情報の一部として、共有されるコンテンツへのアクセスに関する追加情報も提供される。たとえば、コンテンツがページ毎、または節毎にアクセス可能である場合、受信デバイスが各節を要求すると、その情報が共有デバイスに戻して提供され得る。この実施形態では、指導者は、共有されるコンテンツ（たとえば、書籍）を通しての生徒の進歩を監視し、どの生徒がコンテンツの使用について予定通りであり、どの生徒が遅れていて追加の支援が必要であり、どの生徒が予定より進んでいるかを判定することができる。
【００５３】
図７（ａ）〜図７（ｂ）は、共有デバイスのユーザに提供できるディスプレイの例を示す。この例では、ユーザは、書籍の１つの節を電子ブックリーダ上で閲覧している。ユーザは、「共有」アイコン７０２または同様の要素をディスプレイ上で選択することにより、このページを他の人との共有を望むことを示すことができる。アイコンを選択すると、確認パネル、モーダルウィンドウ、または他のそのようなディスプレイ７０４が生成されて、ユーザに命令の確認を求める。この例では、ユーザは、同様のアイコン７０６を確認パネル上で選択してユーザがこのコンテンツを共有することを望んでいることを確認できる。いくつかの実施形態では、デバイスは確認を使用せず、代わりに単にユーザが最初に行ったコンテンツを共有する選択に基づいて情報信号を送信し得る。さらに、他の多くの行為を使用して、たとえば選択肢をメニューから選択またはデバイス上のボタンを押すことなどにより、文書またはその一部が共有されることを示すことができる。たとえば、ユーザは、メニュー項目にアクセスして、「この文書をこの部屋の人と共有する」または「このページをこの部屋の人と共有する」ことを要求し得る。いくつかの実施形態では、ユーザは、環境または他のそのような要因に基づいてどのタイプの信号（音響、赤外線など）を生成させるかを選択できる。音響ベースの信号を使用するいくつかの実施形態では、生成される信号は、電話線を通して容易に送信され、スピーカフォン・マイクロフォンによって受け取られ、スピーカフォン・フピーカによって容易に生成される音声スペクトルの一部に制限される。
【００５４】
文書の共有に加えて、上述のように、本明細書に記載の実施形態を使用して、任意の他のタイプのコンテンツを共有し得る。たとえば、会議を開く要求は、容易に他の人と共有し得る。図７（ｂ）に示された例を参照すると、ユーザは、カレンダ登録をコンピュータ・デバイス上で閲覧している。ユーザは、ディスプレイ上の「共有」アイコン７１２を選択することにより、ユーザがカレンダ登録を他の人と共有することを望むことを示すことができる。そのアイコンを選択すると、確認パネル、モーダルウィンドウ、または他のこのようなディスプレイ７１４が生成されてユーザに命令の確認を求める。この例では、ユーザは、同様のアイコン７１６を確認パネル上で選択してユーザがこのコンテンツの共有を望むことを確認することができる。いくつかの実施形態では、デバイスは、確認を利用せず、代わりに単にユーザが最初に行ったコンテンツを共有する選択に基づいて情報信号を送信し得る。さらに、他の多くの行為を使用して、たとえば選択肢をメニューから選択する、またはデバイス上のボタンを押すことなどにより、カレンダ登録、または任意の他のタイプのコンテンツを示すことができる。たとえば、ユーザは、メニュー項目にアクセスして、「このカレンダ登録をこの部屋の人と共有する」または「この会議をこの部屋の人と共有する」ことを要求し得る。
【００５５】
論じたように、様々な手法を、様々な環境で様々な応用例に対して実施することができる。たとえば、図８は、様々な実施形態による態様を実施するための環境８００の一例を示す。理解されるように、ウェブに基づく環境が説明目的で使用されるが、必要に応じて、異なる環境を使用して、様々な実施形態を実施し得る。環境８００は、電子クライアント・デバイス８０２を含む。電子クライアント・デバイスは、要求、メッセージ、または情報を適切なネットワーク８０４を通して送受信し、情報をデバイスのユーザに戻して伝達できる、任意の適切な操作可能なデバイスを含む。このようなクライアント・デバイスの例は、パーソナル・コンピュータ、携帯電話、携帯型メッセージ送受信機、ノートブック・コンピュータ、セットトップ・ボックス、携帯型情報端末、電子ブックリーダなどを含む。ネットワークは、イントラネット、インターネット、携帯電話ネットワーク、ローカル・エリア・ネットワーク、または任意の他のこのようなネットワーク、もしくはその組合せを含む任意の適切なネットワークを含むことができる。このようなシステムに使用される構成要素は、少なくとも部分的に、選択されたネットワークのタイプおよび／または環境に依存し得る。このようなネットワークを介して通信するプロトコルおよび構成要素は、周知であり、本明細書で詳細は論じない。ネットワークを介した通信は、有線接続または無線接続およびその組合せによって可能になり得る。この例では、環境は、要求を受信しそれに応答してコンテンツを提供するためにウェブ・サーバ８０６を含むので、ネットワークはインターネットを含むが、他のネットワークに対して、同様の目的を果たす代替のデバイスが使用され得ることは、当業者には明らかなはずである。
【００５６】
この環境の例は、少なくとも１つのアプリケーション・サーバ８０８およびデータ・ストア８１０を含む。数個のアプリケーション・サーバ、層、もしくは他の要素、プロセス、または構成要素が存在することが可能であり、それらはチェーン状に繋がっていてもよく、あるいは別様に構成されていてもよく、それらは、相互にやり取りして、データを適切なデータ・ストアから入手するなどのタスクを実行することができることを理解されたい。本明細書で使用される用語「データ・ストア」は、データを記憶、アクセス、および取得することができる任意のデバイスまたは複数のデバイスの組合せを指し、データ・ストアは、任意の標準の環境、分散した環境、または密集した環境における、任意の組合せおよび数のデータ・サーバ、データベース、データ記憶媒体を含み得る。アプリケーション・サーバは、必要に応じてデータ・ストアと一体化してコンテンツを入手またはコンテンツをクライアント・デバイスに提供する任意の適切なハードウェアおよびソフトウェアを含むことができる。アプリケーション・サーバは、アクセス制御機能をデータ・ストアと協働して提供し、ユーザに転送または使用可能とする、テキスト、図、音響、および／または映像などのコンテンツを生成することができ、この例ではウェブ・サーバによりＨＴＭＬ、ＸＭＩまたは別の適切な構造化言語の形状で供給され得る。クライアント・デバイス８０２とアプリケーション・サーバ８０８との間のすべての要求および応答の処理、ならびにコンテンツの配信を、ウェブ・サーバによって処理することが可能である。本明細書で論じられる構造化コードは、本明細書の他の場所で論じされたように、任意の適切なデバイスまたはホスト・コンピュータで実行され得るので、ウェブ・サーバおよびアプリケーション・サーバは、不要であり、それらは単に例示的構成要素に過ぎないことを理解されたい。
【００５７】
データ・ストア８１０は、特定の態様に関するデータを記憶させるための数個の分離したデータ表、データベース、または他のデータ記憶装置およびデータ記憶媒体を含むことができる。たとえば、示されているデータ・ストアは、共有デバイスと、共有されるコンテンツ８１４へのアクセスを要求する受信デバイスとの間の関連付け情報８１２およびユーザ情報８１６を記憶する機構を含み、それらは、生産側に対してコンテンツを供給するために使用され得る。データ・ストアは、共有されるコンテンツ８１４を記憶する機構を含むことも示されている。制御命令、進捗情報などのデータ・ストアに保存される必要があり得る多くの他の態様がある可能性があることを理解されたい。
【００５８】
各サーバは、通常サーバの一般の管理および作動に対する実行可能なプログラム命令を提供するオペレーティング・システムを含み、通常、命令を保存するコンピュータ可読媒体を含み、その命令は、サーバのプロセッサによって実行されると、サーバがその意図されている機能を実行することができるようにする。オペレーティング・システムの適切な実装およびサーバの一般的な機能は、既知であるか、または市販されており、特に本明細書の開示を踏まえて当業者によって容易に実装される。
【００５９】
一実施形態の環境は、１つまたは複数のコンピュータ・ネットワークまたは直接接続を使用する通信リンクを介して相互接続されている、数個のコンピュータ・システムおよび構成要素を使用する分散したコンピュータ環境である。しかし、こうしたシステムは、図８に示されているより少ない構成要素、または多い構成要素を有するシステム内で同様に良好に作動し得ることが当業者には理解されよう。したがって、図８のシステム８００の記述は、実例であり、本開示の範囲を制限するものではないと解するべきである。
【００６０】
さらに、様々な実施形態は、多種多様なオペレーティング環境で実装でき、場合によっては１つまたは複数のユーザ・コンピュータ、計算装置、または処理装置を含むことができる。ユーザ・デバイスまたはクライアント・デバイスは、標準オペレーティング・システムを動作させているデスクトップ・コンピュータまたはラップトップ・コンピュータなどの任意の多くの汎用パーソナル・コンピュータ、ならびに携帯ソフトウェアを動作させ、多くのネットワーク・プロトコルおよびメッセージ・プロトコルに対応することが可能な携帯デバイス、無線デバイス、携帯端末を含むことができる。こうしたシステムは、任意の様々な通信可能なオペレーティング・システムならびに開発およびデータベース管理目的の他の既知のアプリケーションを動作させる多くのワークステーションも含むこともできる。また、これらのデバイスは、ダミー端末、シンクライアント、ゲーム機、およびネットワークを介して通信可能な他のデバイスなどの他の電子装置も含むことができる。
【００６１】
ほとんどの実施形態は、ＴＣＰ／ＩＰ、ＯＳＩ、ＦＴＰ、ＵＰｎＰ、ＮＦＳ、ＣＩＦＳおよびＡｐｐｌｅＴａｌｋなどの任意の様々な市販のプロトコルを使用して通信に対応するための、当業者にはよく知られている少なくとも１つのネットワークを利用する。たとえば、ネットワークは、ローカル・エリア・ネットワーク、ワイド・エリア・ネットワーク、仮想プライベート・ネットワーク、インターネット、イントラネット、エクストラネット、公衆交換電話網、赤外線ネットワーク、無線ネットワーク、および任意のその組合せであり得る。
【００６２】
ウェブ・サーバを利用する実施形態では、ウェブ・サーバは、ＨＴＴＰサーバ、ＦＴＰサーバ、ＣＧＩサーバ、データ・サーバ、Ｊａｖａサーバ、およびビジネス・アプリケーション・サーバを含む任意の様々なサーバまたは中間層アプリケーションを動作させることができる。サーバ（複数可）は、プログラムまたはスクリプトを１つまたは複数のウェブ・アプリケーションの実行によるなどにより、ユーザ・デバイスからの要求に応答して実行させることもできる。ウェブ・アプリケーションは、Ｊａｖａ（登録商標）、Ｃ、Ｃ＃もしくはＣ＋＋などの任意のプログラミング言語、またはＰｅｒｌ、Ｐｙｔｈｏｎ、またはＴＣＬなどの任意のスクリプト言語、ならびにその組合せで書かれた１つまたは複数のスクリプトまたはプログラムとして実装され得る。サーバ（複数可）は、制限するものではないが、Ｏｒａｃｌｅ（登録商標）、Ｍｉｃｒｏｓｏｆｔ（登録商標）、Ｓｙｂａｓｅ（登録商標）、ＩＢＭ（登録商標）から市販で入手可能なものを含むデータベース・サーバも含み得る。
【００６３】
環境は、上で論じられた様々なデータ・ストアならびに他のメモリおよび記憶媒体を含むことができる。これらは、１つまたは複数のコンピュータにローカルに位置する（および／または存在する）または任意のもしくはすべてのコンピュータからネットワークを通して遠隔にある記憶媒体などの、様々な場所の中に存在することが可能である。特定の組の実施形態では、情報または共有されるコンテンツは、当業者にはなじみのあるストレージ・エリア・ネットワーク（「ＳＡＮ」）に存在し得る。同様に、コンピュータ、サーバ、または他のネットワーク・デバイスに備わっている機能を実行するために必要な任意のファイルは、必要に応じてローカルでおよび／または遠隔の場所で保存され得る。システムがコンピュータ化されたデバイスを含む場合、こうした各デバイスは、バスにより電気的に結合され得るハードウェア要素を含むことができる。これらの要素は、たとえば、少なくとも１つの中央処理装置（ＣＰＵ）、少なくとも１つの入力装置（たとえば、マウス、キーボード、制御装置、タッチ・スクリーン、またはキーパッド）、および少なくとも１つの出力装置（たとえば、表示装置、プリンタ、またはスピーカ）を含む。このようなシステムは、ディスク・ドライバ、光学記憶装置、およびランダム・アクセス・メモリ（「ＲＡＭ」）または読取り専用メモリ（「ＲＯＭ」）などの固体記憶装置、ならびに取り外し可能メディア装置、メモリ・カード、フラッシュ・カードなどの１つまたは複数の記憶装置をも含み得る。
【００６４】
また、このようなデバイスは、コンピュータ可読記憶媒体リーダ、通信装置（たとえば、モデム、ネットワーク・カード（無線または有線）、赤外線通信装置など）、および上述のワーキング・メモリを含むことができる。コンピュータ可読記憶媒体リーダは、遠隔記憶装置、局部記憶装置、固定記憶装置、および／または取り外し可能記憶装置、ならびにコンピュータ可読情報を一時的におよび／またはより永続的に保存する、記憶する、送信する、および取り出すための記憶媒体を示すコンピュータ可読記憶媒体と接続できる、またはコンピュータ可読記憶媒体を受信するように構成されることができる。システムおよび様々なデバイスは、通常、少なくとも１つの、ワーキング・メモリ装置内に位置する、多くのソフトウェア・アプリケーション、モジュール、サービス、または他の要素を含み、それには、オペレーティング・システム、およびクライアント・アプリケーションまたはウェブ・ブラウザなどのアプリケーション・プログラムをも含む。代替的実施形態は、上記からの非常に多くの変形を有することを理解されたい。たとえば、特別仕様のハードウェアもまた、使用され、かつ／または特定の要素は、ハードウェア、ソフトウェア（アプレットなどの移植性ソフトウェアを含む）、または両方で実装され得る。さらに、ネットワーク・入力／出力装置などの他の計算装置への接続が利用され得る。
【００６５】
コード、またはコードの一部を含めるための記憶媒体およびコンピュータ可読媒体は、当技術分野では知られているか、または当技術分野で使用されている、任意の適切な媒体を含むことができ、それには、限定されないが、コンピュータ可読命令、データ命令、プログラム・モジュール、または他のデータなどの情報の記憶および／または送信のために、任意の方法または技法で実装される、揮発性および非揮発性媒体、可動媒体ならびに非可動媒体などの記憶媒体ならびに通信媒体を含み、ＲＡＭ、ＲＯＭ、ＥＥＲＯＭ、フラッシュ・メモリ技術、ＣＤ−ＲＯＭ、デジタル多用途ディスク（ＤＶＤ）もしくは他の光学記憶装置、磁気カセット、磁気テープ、磁気ディスク装置もしくは他の磁気記憶装置、または所望の情報を記憶するために使用でき、システム装置によってアクセスできる任意の他の媒体などを含む。本開示および本明細書に提供された教示に基づいて、当業者は、様々な実施形態を具現化する他のやり方ならびに／または方法を理解されよう。
【００６６】
付記項１  コンピューティング・デバイス上でコンテンツにアクセスするための情報を共有する方法であって、
第１のデバイス上において符号化された情報信号を生成することであって、前記情報信号は、前記コンテンツにアクセスすることに関連付けられた情報を含むことと、
前記符号化された情報を可聴信号として出力することと、
第２のデバイスで前記符号化された情報信号を音声で受信することと、
前記コンテンツに関連付けられた前記情報を識別するために前記情報信号を復号することと、
前記コンテンツにアクセスすることに関連付けられた前記情報の少なくとも一部を利用して前記第２のデバイスにより前記コンテンツにアクセスすることであって、前記第２のデバイスは前記第１のデバイス以外の資源から前記コンテンツにアクセスすることとを含む方法。
【００６７】
付記項２  前記第２のデバイスが、前記符号がされた情報信号を音声で受信可能にするために前記第２のデバイス上で聞取りモードを作動させることをさらに含む、付記項１に記載の方法。
【００６８】
付記項３  前記情報信号を受信することは、通知信号を受信することを含む、付記項１に記載の方法。
【００６９】
付記項４  前記情報信号の正確さを確認することをさらに含む、付記項１に記載の方法。
【００７０】
付記項５  前記情報信号が正確に受信されなかった場合、エラー信号を送信することと、
後続の符号化された情報信号を受信することとをさらに含む、付記項４に記載の方法。
【００７１】
付記項６  前記情報信号は、前記コンテンツにアクセスする場所を含む、付記項１に記載の方法。
【００７２】
付記項７  前記情報信号は、反復信号を含み、前記反復信号は、前記情報信号が前記第２のデバイスによって送信される旨の要求を含む、付記項１に記載の方法。
【００７３】
付記項８  コンテンツにアクセスすることを可能にする方法であって、
第１のデバイスにおいて情報信号を生成することであって、前記情報信号は、前記第１のデバイス以外の資源から前記コンテンツにアクセスすることに関連付けられた情報を含むことと、
前記第１のデバイスから前記情報信号を音声に基づく信号として送信することであって、前記情報信号は、前記送信された情報信号の検出可能な範囲内の第２のデバイスによって受信されるように構成されていることとを含む方法。
【００７４】
付記項９  前記情報信号を暗号化することをさらに含む、付記項８に記載の方法。
【００７５】
付記項１０  前記情報信号を送信する前に、情報信号が送信されることを前記第２のデバイスに示す通知信号を送信することをさらに含む、付記項８に記載の方法。
【００７６】
付記項１１  前記第１のデバイスから前記情報信号を送信することに続いて、前記情報信号を前記第１のデバイスおよび前記第２のデバイスの少なくとも１つから送信することをさらに含む、付記項８に記載の方法。
【００７７】
付記項１２  エラー信号を前記第２のデバイスから受信することと、
前記エラー信号の受信に応答して、前記情報信号を送信することとをさらに含む、付記項８に記載の方法。
【００７８】
付記項１３  前記情報信号は、認証信号を含む、付記項８に記載の方法。
【００７９】
付記項１４  共有情報を前記第１のデバイスにおいて生成することであって、前記共有情報は、共有される前記コンテンツに関連付けられた情報を含むことと、
前記共有情報を第３のデバイスに送信することとをさらに含む、付記項８に記載の方法。
【００８０】
付記項１５  前記第３のデバイスは、共通ネットワーク資源であって、前記共通ネットワーク資源のアクセス可能性は、前記第１のデバイスおよび前記第２のデバイスによって認識されている、付記項１４に記載の方法。
【００８１】
付記項１６  前記第１のデバイスにおいて共有される前記コンテンツとのやり取りに関する制御信号を生成することと、
前記制御信号を第３のデバイスに送信することとをさらに含む、付記項８に記載の方法。
【００８２】
付記項１７  プロセッサと、
１組の動作を実行するための、前記プロセッサにより実行されるように作動可能な命令を含むメモリ装置と、
第１のデバイスにより音声で送信された情報信号を受信するように動作可能な受信要素であって、前記情報信号は、前記コンテンツにアクセスするための英数字識別子を含む、受信要素と、
前記第１のデバイス以外のデバイスから前記コンテンツにアクセスする前記受信した情報信号を使用するように動作可能な、コンテンツ・アクセス要素とを含むコンピュータ・デバイス。
【００８３】
付記項１８  前記第１のデバイスによって音声で送信された前記情報信号は、電気通信ネットワークを経由して伝播される、付記項１７に記載のコンピュータ・デバイス。
【００８４】
付記項１９  前記受信要素は、前記第１のデバイスによって音声で送信された通知信号を受信するようにさらに動作可能であり、前記通知信号は、前記コンピュータ・デバイスに情報信号が送信されることを知らせる、付記項１７に記載の方法。
【００８５】
付記項２０  前記コンピュータ・デバイスは、前記通知信号を第１の状態の間で受信し、前記通知信号の受信に応答して第２の状態に推移するように構成される、付記項１９に記載のコンピュータ・デバイス。
【００８６】
付記項２１  前記情報信号がエラーなしに受信されたかどうかを判定するように動作可能であるエラー訂正要素をさらに含む、付記項１７に記載のコンピュータ・デバイス。
【００８７】
付記項２２  コンテンツへのアクセスを管理するためのコンピュータ可読媒体に組み込まれているコンピュータ・プログラム製品であって、前記コンピュータ・プログラム製品は、プロセッサによって実行されるとき、プロセッサに、
第１のデバイスにおいて、第２のデバイスから送信された共有情報を受信し、共有情報は、前記コンテンツの識別子を含むことと、
前記第１のデバイスにおいて、前記識別子と前記コンテンツと前記第２のデバイスとの間の関連付けを生成することと、
前記第１のデバイスにおいて、第３のデバイスから前記コンテンツにアクセスする要求を受信し、前記要求は前記識別子を含むことと、
前記第３のデバイスに前記コンテンツへのアクセスを提供すること、
とを行わせる命令を含み、
前記第２のデバイスは、前記識別子を前記第３のデバイスに音響に基づく信号を介して送信する、コンピュータ・プログラム製品。
【００８８】
付記項２３  プロセッサによって実行されるとき、前記プロセッサに、
前記第２のデバイスと前記第３のデバイスとの間の関連付けを生成することと、
前記第２のデバイスおよび前記第３のデバイスのうちの少なくとも１つに前記関連付け情報を通信することと、
を行わせる命令をさらに含む、付記項２２に記載のコンピュータ・プログラム製品。
【００８９】
付記項２４  プロセッサによって実行されるとき、前記プロセッサに、
前記第１のデバイスにおいて、前記第２のデバイスによって送信された制御信号を受信することと、
前記第３のデバイスに前記制御信号を提供することと、
を行わせる命令をさらに含む、付記項２２に記載のコンピュータ・デバイス。
【００９０】
付記項２５  前記コンテンツの前記識別子は、前記コンテンツの識別情報および前記第２のデバイスによって生成された一意の識別子を含む、付記項２２に記載のコンピュータ・プログラム製品。
【００９１】
付記項２６  有効期限は、前記コンテンツに関連付けられており、前記コンテンツへのアクセスは、前記有効期限の前にのみ利用可能である、付記項２２に記載のコンピュータ・プログラム製品。
【００９２】
したがって、本明細書および図面は、限定的意味ではなく、説明の意味で解釈されるべきである。しかし、様々な変形および変更が、特許請求の範囲に記載の本発明の精神および範囲から逸脱することなくなされることは明らかであろう。
【図１（ａ）】
2012511787.tif 000003
【図１（ｂ）】
2012511787.tif 000004
【図２（ａ）】
2012511787.tif 000005
【図２（ｂ）】
2012511787.tif 000006
【図３】
2012511787.tif 000007
【図４】
2012511787.tif 000008
【図５（ａ）】
2012511787.tif 000009
【図５（ｂ）】
2012511787.tif 000010
【図６（ａ）】
2012511787.tif 000011
【図６（ｂ）】
2012511787.tif 000012
【図６（ｃ）】
2012511787.tif 000013
【図７（ａ）】
2012511787.tif 000014
【図７（ｂ）】
2012511787.tif 000015
【図８】
2012511787.tif 000016
【国際調査報告】
2012511787.tif 000017